(57)【要約】【課題】  スピーカ背面に十分な容積、長さを有する音響用背面管路の形成が容易となり、低音域の音が十分に増長され、低音域特性が従来よりも大幅に改善され、且つ小型・薄型化が可能となる。【解決手段】  浴室１内に設けられるサウンドユニット２が、スピーカ３と、スピーカ３を収納するスピーカ収納部４と、スピーカ３に隣接配置される制御基板５と、制御基板５を収納する基板収納部６とを備えたバスサウンドスピーカ背面構造において、サウンドユニット２の背面にスピーカ３背面から発生する低音域の音を増長してホーン開口部７ｃから浴室１内に放射する音響用背面管路７を備えると共に、音響用背面管路７の管長さが長くなるように音響用背面管路７の中間管路部分７ｂを基板収納部６の背面スペース６ａに入り込ませた。【選択図】        図１
2006237899.tif 000002
【特許請求の範囲】
【請求項１】
浴室内に設けられるサウンドユニットが、スピーカと、スピーカを収納するスピーカ収納部と、スピーカに隣接配置される制御基板と、制御基板を収納する基板収納部とを備えたバスサウンドスピーカ背面構造において、サウンドユニットの背面にスピーカ背面から発生する低音域の音を増長してホーン開口部から浴室内に放射する音響用背面管路を備えると共に、音響用背面管路の管長さが長くなるように音響用背面管路の中間管路部分を基板収納部の背面スペースに入り込ませたことを特徴とするバスサウンドスピーカ背面構造。
【請求項２】
上記音響用背面管路のホーン開口部を上方に凸となる山形形状とし、浴室内から浸入する水に対する堰止めリブの機能を付与したことを特徴とする請求項１記載のバスサウンドスピーカ背面構造。
【発明の詳細な説明】
【技術分野】
【０００１】
本発明は、バスサウンドスピーカ背面構造に関するものである。
【背景技術】
【０００２】
浴室内に設置される音響機器（以下「サウンドユニット」と称する。）は、意匠性、及び設置環境の制約により薄型・小型化が求められる。
【０００３】
しかしながら、サウンドユニットの小型・薄型化を実施した場合は、スピーカの背面容積を十分に確保することができないため、低音域の音が出なくなり、音質が劣化するという問題があった。
【０００４】
そこで、スピーカの低音域特性の改善手段としては、スピーカの背面から発生する音を長い管路に伝播させ、管路の共振で発生した低音をホーン構造のホーン開口部から前面に放射することで、低音域を増長させるようにした「バックローディング方式」が知られている（例えば、特許文献１参照）。
【０００５】
このバックローディング方式は、例えば図５、図６に示すように、スピーカ３、スピーカ収納部４、制御基板５、基板収納部６により構成され、スピーカ３の振動板の背部がホーン開口部７ｃに接続され、低音域はホーン開口部７ｃを通して浴室１内に出ていき、中高音域はスピーカ３の前面から出ていくようになっている。この方式では管路を長くする程、より低い周波数の音が共振し低音が発生し、歯切れのよい音質が得られるが、サウンドユニット２’の小型・薄型化を考慮すると、スピーカ３背面には十分な管長さが確保できないという問題がある。つまり、スピーカ収納部４の容積が小さいため、スピーカ３背面に十分な容積、長さを有する管路の形成が困難となり、鮮度が低いこもった低音になり易いという問題があった。
【０００６】
更に、図７に示すように、サウンドユニット２’の浴室１側にホーン開口部７ｃを設けているため、ホーン開口部７ｃより浸入する水によりスピーカ３が劣化しやすいという問題もあった。
【特許文献１】特開２００４−３２０４０号公報
【発明の開示】
【発明が解決しようとする課題】
【０００７】
本発明は上記の従来の問題点に鑑みて発明したものであって、スピーカ背面に十分な容積、長さを有する音響用背面管路の形成が容易となり、低音域の音が十分に増長され、低音域特性が従来よりも大幅に改善され、且つ小型・薄型化が可能なバスサウンドスピーカ背面構造を提供することを課題とし、さらにホーン開口部から容易に水が浸入しないバスサウンドスピーカ背面構造を提供することを課題とするものである。
【課題を解決するための手段】
【０００８】
前記課題を解決するために本発明は、浴室１内に設けられるサウンドユニット２が、スピーカ３と、スピーカ３を収納するスピーカ収納部４と、スピーカ３に隣接配置される制御基板５と、制御基板５を収納する基板収納部６とを備えたバスサウンドスピーカ背面構造において、サウンドユニット２の背面にスピーカ３背面から発生する低音域の音を増長してホーン開口部７ｃから浴室１内に放射する音響用背面管路７を備えると共に、音響用背面管路７の管長さが長くなるように音響用背面管路７の中間管路部分７ｂを基板収納部６の背面スペース６ａに入り込ませたことを特徴としている。
【０００９】
このような構成とすることで、基板収納部６の裏側を音響用背面管路７の中間管路部分７ｂを収納するスペースとして利用でき、薄型のサウンドユニット２での低音改善が可能となる。つまり、基板収納部６の裏側を利用して、スピーカ収納部４の容積を増加させるようにしたので、サウンドユニット２背面に、十分な容積、長さを有する音響用背面管路７を容易に形成できる。従って、背面の管路を長くして、低音域の音質向上を図ることができると共に、サウンドユニット２として小型・薄型化を図ることができ、浴室１内の意匠性及び設置環境の制約にも十分に対処できるようになる。またサウンドユニット２の小型・薄型化を実施した場合でも、基板収納部６の一部をスピーカ収納部４として有効利用することで、スピーカ３の背面容積を十分に確保することができる。
【００１０】
また上記音響用背面管路７のホーン開口部７ｃを上方に凸となる山形形状とし、浴室１内から浸入する水に対する堰止めリブ８の機能を付与するのが好ましく、この場合、山形形状によって浴室１内での使用においても水がスピーカ３に浸入することがなく、スピーカ３の劣化を防止して、スピーカ３の信頼性向上、及び長寿命化を図ることができると共に、山形形状によってホーン開口部７ｃが湾曲して管長さが長くなるので、低音域の音質向上が一層図られる。
【発明の効果】
【００１１】
本発明は、サウンドユニットの背面にスピーカ背面から発生する低音域の音を増長してホーン開口部から浴室内に放射する音響用背面管路を備えると共に、音響用背面管路の管長さが長くなるように音響用背面管路の中間管路部分を基板収納部の背面スペースに入り込ませたので、基板収納部の裏側を音響用背面管路の中間管路部分を収納するスペースとして利用でき、薄型サウンドユニットでの低音改善が可能となる。さらにサウンドユニットの小型・薄型化を実施した場合でも、基板収納部の一部をスピーカ収納部として有効利用することで、スピーカの背面容積を十分に確保できるものである。
【発明を実施するための最良の形態】
【００１２】
以下、本発明を添付図面に示す実施形態に基いて説明する。
【００１３】
浴室１内に設けられるサウンドユニット２は、図１に示すように、音響を発生する左右１組のスピーカ３と、各スピーカ３をそれぞれ収納するスピーカ収納部４と、スピーカ３間に配置される制御基板５（図６参照）と、制御基板５を収納する基板収納部６とを備える。スピーカ３は、通常、円形又は楕円形のコーン型で構成される。制御基板５はプリント基板で構成される。なおスピーカ３及び制御基板５を備えたスピーカシステムは、例えば特開２００４−３２０４０号公報などにより公知となっている技術を採用することができるので、詳細な説明は省略する。
【００１４】
サウンドユニット２の背面にスピーカ３背面から発生する低音域の音を増長してホーン開口部７ｃから浴室１内に放射する音響用背面管路７を備えている。本例では２つのスピーカ３ごとに、音響用背面管路７が独立して設けられている。各音響用背面管路７の形状は、左右対称形状をしており、以下、一方の音響用背面管路７について説明する。
【００１５】
音響用背面管路７は、管長さを長くするため、管を折り曲げた湾曲形状を有している。本例では正面が管路を構成する凹凸形状をしており、背面がフラット面で形成されている。さらに図２に示すように、音響用背面管路７はサウンドユニット２本体とは別部材で構成されている。音響用背面管路７を別部材にすることで、音響用背面管路７の外形寸法をスピーカ３の背面容積より大きくすることができると共に、スピーカ３に別部材の音響用背面管路７を取り付けることで、薄型のサウンドユニット２での低音改善が可能となっている。音響用背面管路７とサウンドユニット２とは、図２（ａ）に示す係止爪９と係止凹部１０との嵌め込み、或いはビス等により係合固定される。音響用背面管路７とサウンドユニット２との隙間には音漏れを防止するパッキン、ゴム等の弾性体（図示せず）が設けられる。なお音響用背面管路７のスピーカ３背面と対向する位置に、背面容積を増加させるための円筒状の突起１１を設けてある。この突起１１はバス壁１２に埋め込み可能となっている。
【００１６】
さらに上記音響用背面管路７の管長さを長くするために、音響用背面管路７の一部を基板収納部６の背面スペース６ａに入り込ませている。つまり音響用背面管路７は、図１（ａ）に示すように、スピーカ３背面に通じる孔部７ａと、孔部７ａに連なり基板収納部６の背面スペース６ａに入り込んで下方に垂下する細長状の中間管路部分７ｂと、中間管路部分７ｂに連なりサウンドユニット２の背面スペースに沿って側方に延びるホーン開口部７ｃとからなり、中間管路部分７ｂの分だけ管長さが長くなっている。図３中の矢印Ａは、スピーカ３背面から発生する音の伝播を表している。
【００１７】
上記音響用背面管路７は、音響用背面管路７を伝播する低音域の音を増強してホーン開口部７ｃから浴室１内へ放出するものであり、その開口方向はサウンドユニット２の正面に設けてもよいが、本例では音の広がり感を出すため、側面に設けてある。さらに、管路の折り曲げ形状を図３に示すように、上方に凸となる山形形状とし、浴室１内から浸入する水に対する堰止めリブ８の機能を付与している。ここでは、堰止めリブ８の高さＨは、ホーン開口部７ｃの開口高さＤよりも若干高く設定してある。
【００１８】
しかして、上記構成の「バックローディング方式」のスピーカ背面構造において、基板収納部６の裏側を音響用背面管路７の中間管路部分７ｂを収納するスペースとして利用することで、薄型のサウンドユニット２での低音改善が可能となる。つまり、基板収納部６の裏側を利用して、スピーカ収納部４の容積を増加させるようにしたので、サウンドユニット２背面に、十分な容積、長さを有する音響用背面管路７を容易に形成できる。従って、背面の管路を長くして、低音域の音質向上を図ることができると共に、サウンドユニット２として小型・薄型化を図ることができ、浴室１内の意匠性及び設置環境の制約にも十分に対処できるようになる。またサウンドユニット２の小型・薄型化を実施した場合でも、基板収納部６の一部をスピーカ収納部４として有効利用することで、スピーカ３の背面容積を十分に確保することができる。つまり、スピーカ３背面に十分な容積、長さを有する管路の形成が容易となるので、低音域の音が十分に増長され、低音域特性が従来よりも大幅に改善される。
【００１９】
また音響用背面管路７のホーン開口部７ｃは浴室１内部へ通じているため、ホーン開口部７ｃから水が浸入して管路に溜まり、スピーカ３が劣化する問題が懸念されるが、本発明では図３のように、音響用背面管路７の上方にむけて山形形状に堰止めリブ８を設け、堰止めリブ８の高さＨを、ホーン開口部７ｃの開口高さＤよりも若干高くしたので、浴室１内での使用においても水がスピーカ３に浸入することがなく、スピーカ３の劣化を防止して、スピーカ３の信頼性向上、及び長寿命化を図ることができる。また、山形形状によってホーン開口部７ｃが湾曲して管長さが長くなるだけでなく、中間管路部分７ｂの下端をサウンドユニットの背面空間の最下端まで伸ばすことができるので、管長さが長くなり、低音域の音の増長に一層効果的となる。なお、ホーン開口部７ｃの出口に、水の浸入を抑止するための防水シートを設けてもよい。この防水シートは例えば水滴は通さないが、空気は通す多孔材料で形成してもよい。
【００２０】
なおホーン開口部７ｃの他の例として、上記のような堰止めリブ８を設けず、図４のようにホーン開口部７ｃの底面に排水用の勾配を設け、浸入した水を容易に排水できるようにしてもよい。この場合、ホーン開口部７ｃの根元側を上側に折り返す折り返し通路を有しているので、浸入する飛沫がスピーカ３に入るのを確実に防止でき、止水機能が十分に発揮されるものである。この例では折り返し通路が基板収納部６の裏側に収納されるものである。
【００２１】
なお前記実施形態では、２スピーカシステムを例示したが、スピーカ３の数は特に問わない。
【図面の簡単な説明】
【００２２】
【図１】本発明のサウンドユニットの一実施形態を示し、（ａ）は背面図、（ｂ）は平面図である。
【図２】（ａ）（ｂ）は同上のサウンドユニット本体に別体の音響用背面管路を取り付ける場合の説明図である。
【図３】同上のホーン開口部を山形形状とした場合の背面図である。
【図４】本発明の他の実施形態の背面図である。
【図５】従来のサウンドユニットの斜視図である。
【図６】従来のサウンドユニットの平面断面図である。
【図７】従来のバックローディング方式の説明図である。
【符号の説明】
【００２３】
１  浴室
２  サウンドユニット
３  スピーカ
４  スピーカ収納部
５  制御基板
６  基板収納部
６ａ  背面スペース
７  音響用背面管路
７ｂ  中間管路部分
７ｃ  ホーン開口部
８  堰止めリブ
【図１】
2006237899.tif 000003
【図２】
2006237899.tif 000004
【図３】
2006237899.tif 000005
【図４】
2006237899.tif 000006
【図５】
2006237899.tif 000007
【図６】
2006237899.tif 000008
【図７】
2006237899.tif 000009